(57)【要約】【課題】ポケット内への潤滑剤の巻き込みを抑制し、異音の低減を図ることができる玉軸受用保持器およびその玉軸受用保持器を用いた玉軸受を提供する。【解決手段】この玉軸受用保持器は、軸受中心軸回りの円環部６の円周方向の複数箇所に、この円環部６を半径方向に貫通して設けられたポケット７内にボールを保持し、かつボール案内形式である。ポケット７の内面のうち円周方向に互いに対向する両側の円周方向対向部分に、半径方向の外径側部分に位置して前記ボール案内形式とするボール案内面１４，１４を設ける。ボール案内面１４を、先端に向かうに従ってポケット中心軸に近づくように傾斜する断面形状に形成し、且つ、平面状とする。ポケット７の軸受軸方向に互いに対向する両側の軸方向案内面１５，１５を、ポケット中心軸に垂直な断面が円弧状となる円弧面とした。【選択図】図２
2016145639.tif 000002
【特許請求の範囲】
【請求項１】
軸受中心軸回りの円環部の円周方向の複数箇所に、この円環部を半径方向に貫通して設けられたポケット内にボールを保持するボール案内の玉軸受用保持器において、
前記ポケットの内面のうち前記円周方向に互いに対向する両側の円周方向対向部分に、前記半径方向の外径側部分または前記半径方向の内径側部分のいずれか一方に位置して、前記ボール案内とするボール案内面が設けられ、このボール案内面は、先端に向かうに従ってポケット中心軸に近づくように傾斜する断面形状に形成され、且つ、平面状とされ、前記ポケットの軸受軸方向に互いに対向する両側の軸方向案内面は、前記ポケット中心軸に垂直な断面が円弧状となる円弧面とされていることを特徴とする玉軸受用保持器。
【請求項２】
請求項１に記載の玉軸受用保持器において、前記円環部は、この円環部の軸方向に互いに対向する二つの環状体を有し、これら環状体を前記軸方向に対向して組み合わせて複数の前記ポケットが形成されている玉軸受用保持器。
【請求項３】
請求項１または請求項２に記載の玉軸受用保持器を用いたモータ用の玉軸受。
【発明の詳細な説明】
【技術分野】
【０００１】
この発明は、玉軸受用保持器およびその玉軸受用保持器を用いた玉軸受に関し、例えば、モータ用の玉軸受等における保持器音を低減する技術に関する。
【背景技術】
【０００２】
従来、例えばモータ用の玉軸受において、合成樹脂製の保持器を採用したものが提案されている（例えば特許文献１，２）。この合成樹脂製の保持器は、図１４に示すように、いわゆる波形保持器において、ポケットＰｔの内面の周方向両端部にボールの外周に沿った凹球面５０を形成している（特許文献２）。
【先行技術文献】
【特許文献】
【０００３】
【特許文献１】特開２０１３−２４５７６２号公報
【特許文献２】特開２０１３−７４６８号公報
【発明の概要】
【発明が解決しようとする課題】
【０００４】
図１４の保持器５２では、軸受運転時に、この保持器５２が径方向に移動した際に、ポケット内面の周方向両端部に形成した凹球面５０におけるポケット内径部５０ａが線接触となり、ボールに付着したグリースが保持器５２のポケット内に巻き込まれて引き摺り抵抗が大きくなっていた。これにより保持器５２に異音が発生していた。
【０００５】
つまり図１５に示すように、モータの回転軸Ｓｈを支持する玉軸受に、回転軸Ｓｈの先端のプーリ（図示せず）に掛装されたベルトの荷重Ｆ（すなわちラジアル荷重Ｆ）が負荷されている場合、ポケット内へのグリースの巻き込みにより、同図１５の状態のボール５１から保持器５２へ加わる径方向内外の力Ｆａが増加され、図１６に示すように、保持器５２が一方に偏って公転する。この状態でさらにポケット内にグリースが巻き込まれると、図１７に示すように、瞬間的にボール公転速度の変化やボール５１から保持器５２へ加わる径方向内外の力Ｆａのバランスが崩れ、保持器５２が振れ廻る。なお図１５〜図１７の符号Ａ１は、この玉軸受つまり保持器５２の回転方向を示す。図１５〜図１７の円弧Ｌａは回転時のボールと保持器ポケットの接触位置を示す。図１６、図１７では保持器５２の偏りを実際よりも強調して表示している。
【０００６】
玉軸受にベルト荷重によるラジアル荷重が付加されていない場合もポケット内にグリースが巻き込まれることで、瞬間的にボール公転速度の変化やボール５１から保持器５２へ加わる径方向内外の力のバランスが崩れ、保持器５２が振れ廻っているものと考えられる。上記の状態になると、図１４に示すように、ボールが保持器ポケット内径部５０ａで積極的に案内され、ボールと保持器ポケット間のグリース厚みの変動で保持器５２が振動し異音が発生しているものと考えられる。
【０００７】
この発明の目的は、ポケット内への潤滑剤の巻き込みを抑制し、異音の低減を図ることができる玉軸受用保持器およびその玉軸受用保持器を用いた玉軸受を提供することである。
【課題を解決するための手段】
【０００８】
この発明の玉軸受用保持器は、軸受中心軸回りの円環部の円周方向の複数箇所に、この円環部を半径方向に貫通して設けられたポケット内にボールを保持するボール案内の玉軸受用保持器において、
前記ポケットの内面のうち前記円周方向に互いに対向する両側の円周方向対向部分に、前記半径方向の外径側部分または前記半径方向の内径側部分のいずれか一方に位置して、前記ボール案内とするボール案内面が設けられ、このボール案内面は、先端に向かうに従ってポケット中心軸に近づくように傾斜する断面形状に形成され、且つ、平面状とされ、前記ポケットの内面における軸受軸方向に互いに対向する両側の軸方向案内面を、前記ポケット中心軸に垂直な断面が円弧状となる円弧面とされていることを特徴とする。
前記「平面状」とは、平面だけでなく、ボール案内面がボールと接触したとき点接触となるようなポケット内部側に僅かに突出する曲面形状も含む。
前記「円弧面」は、円筒面および球面を含む。
【０００９】
この構成によると、ポケットの内面の円周方向対向部分に半径方向の外径側部分または内径側部分に位置して設けたボール案内面を、傾斜する断面形状で、且つ、平面状としたため、軸受運転時、ボール案内面と球形のボールとの接触は点接触となる。これにより、線接触の場合と比べて、ボールに付着した潤滑剤を保持器のポケット内に巻き込み難くなる。したがって引き摺り抵抗の低減を図ることができる。換言すれば、潤滑剤がボールに付着したままポケット内に一旦侵入しても、この潤滑剤は、ポケット内に滞留することなくボール案内面とボールの接触点以外の略全周にわたる環状隙間から、ボールに付着した状態のままポケット外に円滑に排出される。したがって引き摺り抵抗の低減を図ることができる。そうすると、瞬間的にボール公転速度が変化すること、および、ボールから保持器へ加わる径方向内外の力のバランスが崩れることを防止し、よって保持器が振れ廻ることを抑制し得る。したがって、保持器の振動を抑えて異音の低減を図ることができる。
【００１０】
またポケットの両側の軸方向案内面を、ポケット中心軸に垂直な断面が円弧状となる円弧面としたため、この保持器を例えば高速回転域で使用して保持器が弾性変形したときに、ポケットの両側の軸方向案内面とボールとの接触面圧が大きく変動することを防止し、玉軸受の異常発熱や保持器の摩耗を防止することができる。またポケットの軸方向案内面に潤滑剤が滞留することを防止でき、よって引き摺り抵抗の低減をさらに図ることができる。
【００１１】
参考提案例として、前記ポケットの軸受軸方向に互いに対向する両側の軸方向案内面に、遠心力で前記円環部が変形して前記ポケットの形状が変形したときに、前記ボールと当接して前記円環部と前記ボールとの接触範囲の増大を抑制する凸部を設けても良い。この場合、軸受運転時に遠心力で円環部が変形してポケットの形状が変形したときに、軸方向案内面の凸部にボールを接触させる。したがって、軸方向案内面に対するボールの接触面圧を抑えて玉軸受が異常発熱すること、および保持器が摩耗することを確実に防止し得る。
【００１２】
前記円環部は、この円環部の軸方向に互いに対向する二つの環状体を有し、これら環状体を前記軸方向に対向して組み合わせて複数の前記ポケットが形成されていても良い。この場合、内外輪の軌道面間に複数のボールを挿入した後、二つの環状体を前記軸方向の両側から組み合わせてこの保持器を容易に組み立てることができる。
この保持器を樹脂製として二つの環状体を同一形状とすると、一種類の成形用金型で前記二つの環状体を成形できるため、金型費用を抑えて保持器のコスト低減を図れると共に、組み合わせる二つの環状体を分別する必要がなく環状体の管理も容易である。
【００１３】
この発明の玉軸受は、前記いずれかに記載の玉軸受用保持器を用いたモータ用の玉軸受である。この場合、モータの高速回転化をより図ることができる。つまりモータを高速回転させても玉軸受からの異音を低減できる。
【発明の効果】
【００１４】
この発明の玉軸受用保持器は、軸受中心軸回りの円環部の円周方向の複数箇所に、この円環部を半径方向に貫通して設けられたポケット内にボールを保持するボール案内の玉軸受用保持器において、前記ポケットの内面のうち前記円周方向に互いに対向する両側の円周方向対向部分に、前記半径方向の外径側部分または前記半径方向の内径側部分のいずれか一方に位置してボール案内面が設けられ、このボール案内面は、先端に向かうに従ってポケット中心軸に近づくように傾斜する断面形状に形成され、且つ、平面状とされ、前記ポケットの軸受軸方向に互いに対向する両側の軸方向案内面は、前記ポケット中心軸に垂直な断面が円弧状となる円弧面とされている。このため、ポケット内への潤滑剤の巻き込みを抑制し、異音の低減を図ることができる。
この発明の玉軸受は、この発明のいずれかの玉軸受用保持器を用いたモータ用であるため、ポケット内への潤滑剤の巻き込みを抑制し、異音の低減を図ることができる。
【図面の簡単な説明】
【００１５】
【図１】この発明の実施形態に係る玉軸受用保持器を用いた玉軸受の断面図である。
【図２】（Ａ）は同玉軸受用保持器の要部の斜視図、（Ｂ）は図２（Ａ）の要部を拡大した図である。
【図３】同玉軸受用保持器の二つの環状体を結合する前の状態を示す断面図である。
【図４】（Ａ）は同玉軸受用保持器の一部を外径側から見た平面図、（Ｂ）は図３（Ａ）の一部を拡大した図である。
【図５】図４（Ｂ）のＶ−Ｖ線断面図である。
【図６】図４（Ｂ）のＶＩ−ＶＩ線断面図である。
【図７】この発明の他の実施形態に係る玉軸受用保持器の要部の斜視図である。
【図８】同玉軸受用保持器の要部を外径側から見た平面図である。
【図９】図８のＩＸ−ＩＸ線断面図である。
【図１０】図８のＸ−Ｘ線断面図である。
【図１１】この発明のさらに他の実施形態に係る玉軸受用保持器の要部の斜視図である。
【図１２】同玉軸受用保持器の平面図である。
【図１３】図１２のXIII-XIII線断面図である。
【図１４】従来例の玉軸受用保持器のポケット等を示す斜視図である。
【図１５】従来例の玉軸受のベルト荷重付加時の状態を説明する図である。
【図１６】同玉軸受用保持器が一方向に偏り回転する状態を説明する図である。
【図１７】グリース巻き込み時の状態を説明する図である。
【発明を実施するための形態】
【００１６】
この発明の実施形態を図１ないし図６と共に説明する。
この実施形態に係る玉軸受用保持器は、例えば、モータの回転軸を回転自在に支持する深溝玉軸受の保持器に適用される。
［玉軸受について］
図１は、この実施形態に係る玉軸受用保持器１を用いた玉軸受の断面図である。この玉軸受は、内輪２と、外輪３と、内外輪２，３間に介在する複数のボール４と、これらボール４を保持する保持器１と、内外輪２，３の両端に設けられ軸受空間を密閉するシール部材５，５とを有する。軸受空間には、グリースが封入されている。この保持器１はボール案内で外径拘束形である。この実施形態の場合の前記ボール案内は、保持器１が内外輪２，３に接触しないようにボール４を介して回転側輪となる内輪２に支持される案内形式である。ボール４は、例えば、鋼球やセラミックス等からなる。
【００１７】
［保持器全体の概略構成］
保持器１は、内外輪２，３間に介在するボール４を、軸受中心軸Ｌ回りの円環部６の円周方向の複数箇所に設けられたポケット７内に保持する。各ポケット７は円環部６を半径方向に貫通して設けられる。保持器１は、例えば、樹脂製であり、射出成型にて製作される。樹脂材料として、例えば、ポリアミド（ＰＡ）、ポリフェニレンサルファイド（ＰＰＳ）、ポリエーテルエーテルケトン（ＰＥＥＫ）等の熱可塑性樹脂が適用される。この保持器１に適用される樹脂には、強度を高めるために、例えば、ガラス繊維、カーボン繊維、アラミド繊維等の繊維が混合されている。なお保持器１は、例えば、鉄板をプレス加工した波形保持器としても良い。
【００１８】
［保持器１の連結構造等について］
図２（Ａ）は、この保持器１の要部の斜視図であり、図２（Ｂ）は図２（Ａ）の要部を拡大した図である。この保持器１は、各ポケット７を形成する球殻状板部８と、隣合うポケット間の部分となる連結部９とが円周方向に交互に並ぶいわゆる波形保持器である。図３に示すように、この保持器１の円環部６は、この円環部６の軸方向に互いに対向する二つの環状体１０，１０を有し、これら環状体１０，１０を軸方向に対向して組み合わせて複数のポケット７が形成される。この実施形態の二つの環状体１０，１０は互いに同一形状とし、表裏反対向きに組合わせている。
【００１９】
図４（Ａ）はこの保持器１の一部を外径側から見た平面図、（Ｂ）は図４（Ａ）の一部を拡大した図である。各環状体１０は、それぞれ半球状のポケット７を成す球殻状板部半体８ａと、隣合う半球状ポケット間の部分となる連結部半体９ａとを有する。互いに対向する二つの球殻状板部半体８ａ，８ａを組み合わせて球殻状板部８が形成される。また互いに対向する二つの連結部半体９ａ，９ａを組み合わせて連結部９が形成される。連結部９は、二つの連結部半体９ａ，９ａを組み合わせたときに面接触する合わせ面１１を有する。この合わせ面１１は前記軸方向に垂直な平面である。
【００２０】
連結部半体９ａには、両側面に貫通する係合孔１２が形成されている。一方の連結部半体９ａには、他方の連結部半体９ａに形成された係合孔１２に挿入され係合される係合爪１３が形成されている。係合孔１２に係合段部１２ａが設けられる。係合爪１３の先端部には、この係合爪１３に対応する係合孔１２の係合段部１２ａに係合可能な鉤部１３ａが形成されている。二つの環状体１０，１０を軸方向に互いに対向させ、一方の連結部半体９ａの各係合爪１３を、対応する他方の連結部半体９ａの各係合孔１２にそれぞれ挿入する。さらに各係合爪１３の鉤部１３ａを、各係合孔１２の係合段部１２ａにそれぞれ係合することで、二つの環状体１０，１０が互いに結合された波形保持器となる。
【００２１】
各球殻状板部半体８ａには、軸方向に突出する突出壁部８ａａがそれぞれ設けられる。二つの環状体１０，１０が互いに結合された状態で、一方の球殻状板部半体８ａにおける円周方向の一端に、他方の球殻状板部半体側となる軸方向に突出する突出壁部８ａａが設けられる。他方の球殻状板部半体８ａにおける円周方向の他端には、一方の球殻状板部半体側となる軸方向に突出する突出壁部８ａａが設けられる。
【００２２】
また二つの環状体１０，１０が互いに結合された状態で、前記他方の球殻状板部半体８ａにおける円周方向の一端に、前記一方の球殻状板部半体８ａの突出壁部８ａａが嵌り込む嵌合凹部８ａｂが設けられている。前記一方の球殻状板部半体８ａにおける円周方向の他端には、前記他方の球殻状板部半体８ａの突出壁部８ａａが嵌り込む嵌合凹部８ａｂが設けられている。突出壁部８ａａの先端面と、この先端面に対向する嵌合凹部８ａｂの底面との間には、微小な隙間が形成される。これら突出壁部８ａａの先端面および嵌合凹部８ａｂの底面は、ポケット７の軸方向中央から軸方向にずれた位置に形成されている。
【００２３】
［保持器１のポケット７について］
図５は図４（Ｂ）のＶ−Ｖ線断面図である。図６（ａ）は図４（Ｂ）のＶＩ−ＶＩ線断面図であり、同図６（ｂ）は保持器組立前の各環状体１０の断面図である。図２（Ｂ）、図５および図６に示すように、各ポケット７の内面のうち円周方向に互いに対向する両側の円周方向対向部分に、半径方向の外径側部分に位置してボール案内面１４，１４を設けている。このボール案内面１４を、先端に向かうに従ってポケット中心軸Ｌ１に近づくように傾斜する断面形状（テーパ形状）に形成し、且つ、平面状としている。このボール案内面１４により、この保持器１はボール案内で外径拘束形に構成される。またポケット７の軸受軸方向に互いに対向する両側の軸方向案内面１５，１５を、ポケット中心軸Ｌ１に垂直な断面が円弧状となる円弧面としている。前記「円弧面」は、円筒面および球面のいずれであっても良い。
【００２４】
前記「平面状」とは、平面だけでなく、ボール案内面１４がボール４と接触したとき（図５（ｂ））点接触となるようなポケット側に僅かに突出する曲面形状も含む。また球殻状板部８は、二つの球殻状板部半体８ａ，８ａを組み立てた状態で、対応する突出壁部８ａａと嵌合凹部８ａｂの底部との間には、溝状の隙間となる凹部δが形成されている。凹部δのうち、ボール案内面１４における溝状の凹部δ１は、ポケット７の軸方向中央から軸方向にずれた位置に形成されている。この凹部δ１は軸受軸方向に垂直な方向に延び、後述する対向平面１６における溝状の凹部δ２に連通する。
【００２５】
各ポケット７の両側の円周方向対向部分における、ボール案内面１４以外の部分は、ポケット中心軸Ｌ１および軸受軸方向を含む平面に平行な平面形状としている。これら互いに平面形状となる部分を「対向平面１６」と称す。両側の円周方向対向部分において、それぞれボール案内面１４の基端が対向平面１６に繋がる。対向平面１６は、隣合う軸方向案内面１５における円弧の両側縁部１５ａよりもポケット拡径方向に所定小距離奥まった位置に形成される。なおボール案内面１４の先端に、隣合う軸方向案内面１５における円弧の両側縁部１５ａが繋がっている。
【００２６】
溝状の凹部δのうち、対向平面１６における、半径方向の外径側部分から中央付近に渡る凹部δ２もポケット７の軸方向中央から軸方向にずれた位置に形成されている。この凹部δ２は軸受軸方向に垂直な方向に延びる。この凹部δ２の軸方向位置は、ボール案内面１４における凹部δ１と同一の軸方向位置で繋がっている。溝状の凹部δのうち、対向平面１６における、半径方向の内径側部分の凹部δ３はポケット７の略軸方向中央位置となるように形成されている。この半径方向の内径側部分の凹部δ３と、半径方向の中央付近の凹部δ２とは、軸受軸方向に延びる凹部δ４を介して連通する。
【００２７】
［試験条件、試験結果］
以上説明した保持器を備えた玉軸受を試験機に組込み、保持器に異音が発生するか否かの試験を行った。試験条件は以下の通りである。
＜試験条件＞
試験機：サーボモータ
ベルト荷重：３４００Ｎ
回転速度：１０００ｍｉｎ−１→７０００ｍｉｎ−１→３０００ｍｉｎ−１→７０００ｍｉｎ−１
但し、１０００ｍｉｎ−１から７０００ｍｉｎ−１に、または３０００ｍｉｎ−１から７０００ｍｉｎ−１に回転速度を上げるとき１０００ｍｉｎ−１毎にステップアップし、７０００ｍｉｎ−１から３０００ｍｉｎ−１に回転速度を下げるとき１０００ｍｉｎ−１毎にステップダウンする。
判定方法：聴覚判定
【００２８】
【表１】
2016145639.tif 000003
＜試験結果＞
同表１において、「○」は、聴覚判定により保持器に異音が発生していないことを表し、「×」は、聴覚判定により保持器に異音が発生したことを表す。試験結果によると、本実施形態の保持器は、各回転速度において異音が発生しなかった。
【００２９】
［作用効果］
以上説明した保持器１によると、ポケット７の内面の円周方向対向部分に半径方向の外径側部分に位置して設けたボール案内面１４を、傾斜する断面形状で、且つ、平面状としたため、軸受運転時、ボール案内面１４とボール４との接触は点接触となる。これにより、線接触の場合と比べて、ボール４に付着したグリースを保持器１のポケット内に巻き込み難くなる。したがって引き摺り抵抗の低減を図ることができる。
【００３０】
換言すれば、グリースがボール４に付着したままポケット内に一旦侵入しても、このグリースは、ポケット７内に滞留することなくボール案内面１４とボール４の接触点以外の略全周にわたる環状隙間から、ボール４に付着した状態のままポケット外に円滑に排出される。したがって引き摺り抵抗の低減を図ることができる。そうすると、瞬間的にボール公転速度が変化すること、および、ボール４から保持器１に加わる径方向内外の力のバランスが崩れることを防止し、よって保持器１が振れ廻ることを抑制し得る。したがって、保持器１の振動を抑えて異音の低減を図ることができる。
【００３１】
またポケット７の両側の軸方向案内面１５を、ポケット中心軸Ｌ１に垂直な断面が円弧状となる円弧面としたため、この保持器１を例えば高速回転域で使用して保持器１が弾性変形したときに、ポケット７の両側の軸方向案内面１５とボール４との接触面圧が大きく変動することを防止し、玉軸受の異常発熱や保持器１の摩耗を防止することができる。またポケット７の軸方向案内面１５にグリースが滞留することを防止でき、よって引き摺り抵抗の低減をさらに図ることができる。なおこの例の高速回転域は５０００ｍｉｎ−１以上であるがこの回転速度に限定されるものではない。
【００３２】
円環部６は、軸方向に互いに対向する二つの環状体１０，１０を前記軸方向に対向して組み合わせて複数のポケット７が形成される。このため、内外輪２，３の軌道面間に複数のボール４を挿入した後、二つの環状体１０，１０を前記軸方向の両側から組み合わせてこの保持器１を容易に組み立てることができる。
この保持器１を樹脂製として二つの環状体１０，１０を同一形状としているため、一種類の成形用金型で前記二つの環状体１０，１０を成形できる。このため、金型費用を抑えて保持器１のコスト低減を図れると共に、組み合わせる二つの環状体１０，１０を分別する必要がなく環状体１０の管理も容易である。
この保持器１を用いたモータ用の玉軸受の場合、モータの高速回転化をより図ることができる。つまりモータを高速回転させても玉軸受からの異音を低減できる。
【００３３】
［他の実施形態について］
以下の説明においては、各形態で先行する形態で説明している事項に対応している部分には同一の参照符号を付し、重複する説明を略する。構成の一部のみを説明している場合、構成の他の部分は、特に記載のない限り先行して説明している形態と同様とする。同一の構成から同一の作用効果を奏する。実施の各形態で具体的に説明している部分の組合せばかりではなく、特に組合せに支障が生じなければ、実施の形態同士を部分的に組合せることも可能である。
【００３４】
図７は、他の実施形態に係る玉軸受用保持器１Ａの要部の斜視図であり、図８は、この玉軸受用保持器１Ａの要部を外径側から見た平面図である。図９は図８のＩＸ−ＩＸ線断面図である。図１０（ａ）は図８のＸ−Ｘ線断面図であり、図１０（ｂ）は保持器組立前の各環状体１０の断面図である。図７乃至図１０に示すように、この保持器１Ａはボール案内で内径拘束形である。この保持器１Ａは、ポケット７の内面の円周方向対向部分に半径方向の内径側部分に位置して設けたボール案内面１４を、傾斜する断面形状で、且つ、平面状としている。
【００３５】
溝状の凹部δのうち、ボール案内面１４における、突出壁部８ａａと嵌合凹部８ａｂとの間の凹部δ１は、ポケット７の軸方向中央から軸方向にずれた位置に形成されている。この凹部δ１は、軸受軸方向に垂直な方向に延び、対向平面１６の凹部δ２に連通する。対向平面１６における、半径方向の内外に渡る凹部δ２も、ポケット７の軸方向中央から軸方向にずれた位置に形成されている。
【００３６】
この保持器１Ａによると、ポケット７の内面の円周方向対向部分に半径方向の内径側部分に位置して設けたボール案内面１４を、傾斜する断面形状で、且つ、平面状としたため、軸受運転時、ボール案内面１４とボール４との接触は点接触となる（図９（ｂ））。これにより、線接触の場合と比べて、ボール４に付着したグリースを保持器１Ａのポケット７内に巻き込み難くなる。その他前述の実施形態と同様の作用効果を奏する。
【００３７】
図１１は、さらに他の実施形態に係る玉軸受用保持器１Ｂの要部の斜視図である。同図１１（ａ），（ｂ）は玉軸受用保持器１Ｂを異なる方向から見た斜視図である。図１２は同玉軸受用保持器１Ｂの平面図であり、図１３は図１２のXIII-XIII線断面図である。図
１１乃至図１３に示すように、この保持器１Ｂは、各ポケット７の両側の軸方向案内面１５，１５に、それぞれ凸部１７を設けている。軸方向案内面１５における半径方向の外径側部分１５ｂは円錐面に形成されている。つまり軸方向案内面１５における半径方向の外径側部分１５ｂには、先端に向かうに従ってポケット中心軸に近づくように傾斜する断面形状に形成した軸方向のボール案内面を設けている。軸方向案内面１５において、前記軸方向のボール案内面以外をポケット中心軸Ｌ１に垂直な断面が円弧状となる円弧面１５ｃとしている。各円弧面１５ｃにそれぞれ凸部１７を設けている。
【００３８】
これら凸部１７は、両側の軸方向案内面１５における、ボールがポケット内で自転する軸心Ｌ２付近に、ポケット側に半球状に突出するボス部のように設けられる。凸部１７の直径および突出量は、例えば、試験やシミュレーション等の結果によりボール直径の数％に定められる。但し、この例に限定されるものではない。凸部１７は、軸受運転時の遠心力で円環部６が変形してポケット７の形状が変形したときに円環部６とボールとの接触範囲の増大を抑制する。この例では、各軸方向案内面１５に凸部１７を一つずつ設けているが凸部１７を複数設けても良い。
【００３９】
図１１、図１２に示すように、この保持器１Ｂには、グリースが保持器１Ｂの軸受軸方向の側面を伝わって直接内外輪軌道面に入ることを防止するフランジ１８が設けられている。この例では、連結部９における軸受軸方向を向く側面、および球殻状板部８における軸受軸方向を向く側面のうち、半径方向の外径側部分に軸受軸方向に突出するフランジ１８が設けられている。このフランジ１８は軸受軸方向の両側にそれぞれ設けられている。
【００４０】
連結部９における、両側フランジ１８，１８を含む保持器１Ｂの幅寸法と、球殻状板部８における、両側フランジ１８，１８を含む保持器１Ｂの幅寸法とは同一である。連結部９における軸方向一方のフランジ１８と、球殻状板部８における軸方向一方のフランジ１８とは、軸方向先端位置が同一となるように形成されている。軸方向他方のフランジ１８についても同様である。
【００４１】
球殻状板部８には、グリースがポケット７内に侵入することを抑制する内側フランジ１９が設けられている。具体的には、球殻状板部８におけるポケット７の内面のうち、円周方向に互いに対向する両側の半径方向内径側縁部に、ポケット内側に所定小距離突出する内側フランジ１９が設けられている。この内側フランジ１９は平面視円弧状（図１２）に形成されている。なお両側の軸方向案内面１５に内側フランジ１９が殆ど設けられていないのは、次の理由による。仮に、グリースが遠心力によりポケット７の軸方向案内面１５から侵入しても、この軸方向案内面１５に凸部１７があるため、グリースはポケット内に滞留することなく軸方向案内面１５とボールの点接触以外の隙間からポケット外に円滑に排出されるからである。
その他の構成は図７乃至図１０の保持器と同様である。
【００４２】
この保持器１Ｂによると、軸受運転時に遠心力で円環部６が変形してポケット７の形状が変形したときに、軸方向案内面１５の凸部１７にボールを接触させる。特にこの例では、軸方向案内面１５における半径方向の外径側部分１５ｂに、いわゆる円錐面状のボール案内面を設けているため、前記凸部１７が無ければポケット７の形状が弾性変形等したときに、前記円錐面状のボール案内面にボールが過度に線接触することが考えられる。
【００４３】
しかし前述のように軸方向案内面１５に凸部１７を設けたため、前記円錐面状のボール案内面にボールが線接触することなく、軸方向案内面１５の凸部１７にボールを点接触させ得る。したがって、軸方向案内面１５に対するボールの接触面圧を抑えて玉軸受が異常発熱すること、および保持器１Ｂが摩耗することを確実に防止し得る。また両側の軸方向案内面１５，１５における、ボールが自転する軸心Ｌ２付近に凸部１７を設けたため、ボールを安定して自転させると共に公転させることができる。これにより保持器１Ｂの振れ廻りをより確実に抑えることができる。
【００４４】
連結部等における側面に軸受軸方向に突出するフランジ１８を設けたため、グリースが保持器１Ｂの軸受軸方向の側面を伝わって直接内外輪軌道面に入ることを防止し得る。特に、フランジ１８を半径方向の外径側部分に付設したため、軸受運転時の遠心力により保持器側面のグリースが半径方向の内径側から外径側に移動することをより確実に抑制し、グリースが外輪軌道面に過剰に侵入することを防止し得る。したがって、過剰なグリースがボールに付着してポケット内に侵入することを未然に防止することができる。これにより、グリースを保持器１Ｂのポケット内に巻き込み難くなる。よって引き摺り抵抗の低減を図ることができる。
【００４５】
また軸受運転時グリースが遠心力によりポケット内に侵入しようとするが、内側フランジ１９を設けたため、グリースがポケット内に過度に侵入することを抑制することができる。これにより、グリースをポケット内にさらに巻き込み難くなる。よって引き摺り抵抗の低減を確実に図ることができる。
【００４６】
各実施形態において、以下の変形例を適用可能である。
保持器は樹脂製のみに限定されず金属製であっても良い。例えば黄銅等を機械加工して形成しても良い。この場合、保持器は二つの環状体からなる合わせ保持器でなくても良い。
フランジを設ける箇所は半径方向の外径側部分に限定されるものではない。例えば、連結部等における側面のうち、半径方向の内径側部分または半径方向の中央付近部分に軸受軸方向に突出するフランジを設けても良い。
【００４７】
潤滑剤としてグリースに代えて潤滑油を適用しても良い。この場合、例えばＶＧ３２以上の粘度の潤滑油が考えられる。
各保持器を用いる玉軸受として、アンギュラ玉軸受を適用しても良い。
実施形態の玉軸受は両側シールタイプとしているが、片側のみにシールを設けても良いし、両シールのないいわゆるオープンタイプとしても良い。
これら玉軸受をモータ以外の用途に適用することも可能である。この場合にも玉軸受からの異音を低減できる。
【００４８】
以上、実施形態に基づいてこの発明を実施するための形態を説明したが、今回開示された実施の形態はすべての点で例示であって制限的なものではない。この発明の範囲は上記した説明ではなくて特許請求の範囲によって示され、特許請求の範囲と均等の意味および範囲内でのすべての変更が含まれることが意図される。
【符号の説明】
【００４９】
１，１Ａ，１Ｂ…保持器
４…ボール
６…円環部
７…ポケット
１０…環状体
１４…ボール案内面
１５…軸方向案内面
【図１】
2016145639.tif 000004
【図２】
2016145639.tif 000005
【図３】
2016145639.tif 000006
【図４】
2016145639.tif 000007
【図５】
2016145639.tif 000008
【図６】
2016145639.tif 000009
【図７】
2016145639.tif 000010
【図８】
2016145639.tif 000011
【図９】
2016145639.tif 000012
【図１０】
2016145639.tif 000013
【図１１】
2016145639.tif 000014
【図１２】
2016145639.tif 000015
【図１３】
2016145639.tif 000016
【図１４】
2016145639.tif 000017
【図１５】
2016145639.tif 000018
【図１６】
2016145639.tif 000019
【図１７】
2016145639.tif 000020